(57)【要約】【課題】比較的簡単な操作で、かつ必要とするときに該当プログラムを携帯端末装置にダウンロードして自動的に実行させることにより、ＲＯＭ容量を増やすことなく一つの携帯電話端末を複数の携帯機器として使用可能にする。【解決手段】携帯電話端末６に内蔵のＲＯＭ２に格納されている通常の携帯電話機としてのソフト以外の、特別なソフトをメモリカード４に格納し、このメモリカード４が携帯電話端末６に装着されてそのソフトの実行が指示されたとき、ＣＰＵ１がこのメモリカード４からこのソフトを読み込んでＲＡＭ３にコピーする。そして、ＣＰＵ１はＲＡＭ３にアクセスしながらこのソフトプログラムを実行することにより、携帯電話端末６を、このソフト専用の装置として制御する。【選択図】図１
2009100224.tif 000002
【特許請求の範囲】
【請求項１】
メモリカードを装着するためのスロットと、内蔵ＲＯＭに格納されているソフトを実行する機能および前記スロットに装着された前記メモリカードへのアクセス機能を有するＣＰＵを備えた携帯端末装置において、
前記メモリカードには、前記ＲＯＭに格納されているソフト以外の第２のソフトが格納されており、前記ＣＰＵは、前記メモリカードが装着された状態において、ソフト実行指示手段から前記第２のソフトの実行指示を受けたとき、前記メモリカードから前記第２のソフトをダウンロードする機能と、該ダウンロードした前記第２のソフトを該携帯端末装置内蔵のＲＡＭにコピーする機能と、該コピーした前記第２のソフトを前記ＲＡＭから読み出して実行する機能を備えていることを特徴とする携帯端末装置。
【請求項２】
前記ソフト実行指示手段は、該携帯端末装置の電源キーが押下された時に該携帯端末装置の表示部に前記メモリカードに格納された前記第２のソフトの実行を選択する項目を含むメニュー選択画面を表示する機能と、該メニュー選択画面から前記第２のソフトの実行モードが選択されたとき、前記第２のソフトの実行指示を出力する機能を有していることを特徴とする請求項１に記載の携帯端末装置。
【請求項３】
前記ソフト実行指示手段は、電源投入時に電源キーのみが押下されているか、あるいは電源キーと該電源キー以外の任意のキーが同時に押下されているかを判定する機能と、前記電源キーと該電源キー以外の任意のキーが同時に押下されていることが判定されたとき、前記第２のソフトの実行指示を出力する機能を有していることを特徴とする請求項１に記載の携帯端末装置。
【請求項４】
前記ソフト実行指示手段は、電源投入時における電源キーの押下状態を検出し、該検出時点から該電源キーの押下継続時間を計測する機能と、該電源キーの押下継続時間が予め設定された時間よりも長いとき、前記第２のソフトの実行指示を出力する機能を有していることを特徴とする請求項１に記載の携帯端末装置。
【請求項５】
携帯端末装置内蔵のＲＯＭに格納されているソフトと、携帯端末装置に備えられたスロットに装着されたメモリカードに格納されている前記内蔵ＲＯＭに格納されているソフト以外の第２のソフトのいずれかをコンピュータに実行させるためのプログラムであって、
前記コンピュータを、前記いずれのソフトを実行するかを判定して指示するソフト実行指示手段と、前記第２のソフトの実行指示を受けたとき前記メモリカードから前記第２のソフトをダウンロードする手段と、該ダウンロードした前記第２のソフトを該携帯端末装置内蔵のＲＡＭにコピーする手段と、該コピーした前記第２のソフトを前記ＲＡＭから読み出して実行する手段として機能させるためのプログラム。
【請求項６】
前記ソフト実行指示手段は、前記コンピュータを、該携帯端末装置の電源キーが押下された時に該携帯端末装置の表示部に前記メモリカードに格納された前記第２のソフトの実行を選択する項目を含むメニュー選択画面を表示する手段と、該メニュー選択画面から前記第２のソフトの実行モードが選択されたとき、前記第２のソフトの実行指示を出力する手段として機能させることを特徴とする請求項５に記載のプログラム。
【請求項７】
前記ソフト実行指示手段は、前記コンピュータを、電源投入時に電源キーのみが押下されているか、あるいは電源キーと該電源キー以外の任意のキーが同時に押下されているかを判定する手段と、前記電源キーと該電源キー以外の任意のキーが同時に押下されていることが判定されたとき、前記第２のソフトの実行指示を出力する手段として機能させることを特徴とする請求項５に記載のプログラム。
【請求項８】
前記ソフト実行指示手段は、前記コンピュータを、電源投入時における電源キーの押下状態を検出し、該検出時点から該電源キーの押下継続時間を計測する手段と、該電源キーの押下継続時間が予め設定された時間よりも長いとき、前記第２のソフトの実行指示を出力する手段として機能させることを特徴とする請求項５に記載のプログラム。
【発明の詳細な説明】
【技術分野】
【０００１】
本発明は、予め端末に備えられたソフトウェア以外のソフトウェアを外部から読み込んで実行可能な機能を有する携帯電話端末等の携帯端末装置に関する。
【背景技術】
【０００２】
近年、携帯電話端末の薄型化、小型化、そしてコスト削減が進む反面、携帯電話端末には通話機能以外にメール機能、カメラ機能、音楽再生機能、テレビ機能、位置測位機能等、多数の機能が追加されてきている。これらのアプリケーションプログラムはＣＰＵに直結したＲＯＭに格納されているが、薄型化、小型化が要求される携帯電話端末に搭載できるＲＯＭの容量には限界がある。
【０００３】
さらに、今後の携帯電話開発において、ＣＰＵに直結したＲＯＭの容量は縮小、ＲＡＭの容量は拡大の傾向にあり、一方、アプリケーションのソフトはＲＯＭに格納されるため、多機能化に伴って、ＲＯＭに書き込めるアプリケーションのプログラム容量が厳しくなってきており、ユーザが満足するソフトの実現が困難な状況が生じている。
【０００４】
特許文献１では、携帯電話端末が基地局との通信を行うための信号処理を行うＬＳＩの試験をするためのテスト用プログラムを、データサーバ、パーソナルコンピュータあるいは外部記憶装置等の所定の外部格納手段に格納しておき、携帯電話端末のキー入力部から、このテスト用プログラムのダウンロード開始を指示されたとき、基地局あるいはＵＳＢケーブルもしくはＲＳ−２３２Ｃケーブル等を介して前記外部格納手段からダウンロードして、テスト用プログラムを携帯電話端末内のＲＡＭへ格納し、該ＲＡＭに前記テスト用のプログラムが格納されたときには、この携帯電話端末内のＣＰＵが、該ＲＡＭの前記テスト用のプログラム格納領域から前記テスト用のプログラムを読み込んで、周辺のＬＳＩの解析（テスト）を自動実行する構成とすることにより、テスト用プログラムを携帯電話端末内のＲＯＭに格納しておく必要をなくして、携帯電話端末の小型化、軽量化に対処している。
【０００５】
【特許文献１】特開２００７−１５０５４３号公報
【特許文献２】特開２００１−０６７４４２号公報
【発明の開示】
【発明が解決しようとする課題】
【０００６】
特許文献１に記載の発明によれば、テスト用プログラムのダウンロード開始が指示されると、基地局あるいはＵＳＢケーブル、ＲＳ−２３２Ｃケーブル等を介して外部格納手段から携帯電話端末へテスト用プログラムが自動的にインストールされて携帯電話端末に内蔵されたＬＳＩの不良解析が実行されるので、テスト用プログラムをＲＯＭに格納しておかなくても、ＬＳＩの不良解析を自動実行する測定機器として機能させることができる。
【０００７】
しかし、特許文献１に記載の発明では、ＬＳＩの解析（テスト）を実行させる際には、その都度テスト用のプログラムを、外部格納手段から基地局を介して、あるいはＵＳＢケーブルもしくはＲＳ−２３２Ｃケーブルを接続してダウンロードする必要があり、通信料金がかかる、あるいはそのために一々接続操作をしなければならない等の問題がある。
【０００８】
また携帯端末装置は、外出時等に利用者が携帯して利用する機会が多い装置であるので、外出先等で基地局との通信を行うための信号処理を行うＬＳＩの解析（テスト）を実行させる必要が生じた際に、外出先が通信エリア外であったり、ＰＣ等の外部格納手段を持ち合わせていない場合には、ＬＳＩの解析（テスト）を実行することができない。
【０００９】
一方、携帯電話機の無線通信機能を利用して音楽や映像のデータをダウンロードして、そのデータを携帯電話機に着脱可能に装着されたＳＤ（Secure Digital memory card）等のメモリカードに取り込み、このメモリカードを携帯電話機とともに携行し、必要なときに携帯電話機に装着して再生する技術が特許文献２等に開示されている。
【００１０】
本発明の目的は、このメモリカードに着目し、比較的簡単な操作で、かつ必要とするときに該当プログラムを携帯端末装置にダウンロードし、該ダウンロードしたプログラムを該携帯端末装置で自動的に実行させることにより、ＲＯＭ容量を増やすことなく一つの携帯電話端末を複数の携帯機器として使用可能にする手段を提供することにある。
【課題を解決するための手段】
【００１１】
本発明は、メモリカードを装着するためのスロットと、内蔵ＲＯＭに格納されているソフトを実行する機能、および前記スロットに装着された前記メモリカードへのアクセス機能を有するＣＰＵを備えた携帯端末装置において、前記メモリカードには、前記ＲＯＭに格納されているソフト以外の第２のソフトが格納されており、前記ＣＰＵは、前記メモリカードが装着された状態において、ソフト実行指示手段から前記第２のソフトの実行指示を受けたとき、前記メモリカードから前記第２のソフトをダウンロードする機能と、該ダウンロードした前記第２のソフトを該携帯端末装置内蔵のＲＡＭにコピーする機能と、該コピーした前記第２のソフトを前記ＲＡＭから読み出して実行する機能を備えていることを特徴とする。
【００１２】
また本発明のプログラムは、携帯端末装置内蔵のＲＯＭに格納されているソフトと、携帯端末装置に備えられたスロットに装着されたメモリカードに格納されている前記内蔵ＲＯＭに格納されているソフト以外の第２のソフトのいずれかをコンピュータに実行させるためのプログラムであって、前記コンピュータを、前記いずれのソフトを実行するかを判定して指示するソフト実行指示手段と、前記第２のソフトの実行指示を受けたとき前記メモリカードから前記第２のソフトをダウンロードする手段と、該ダウンロードした前記第２のソフトを該携帯端末装置内蔵のＲＡＭにコピーする手段と、該コピーした前記第２のソフトを前記ＲＡＭから読み出して実行する手段として機能させることを特徴とする。
【発明の効果】
【００１３】
本発明によれば、例えば第２のソフトとしてメモリカードに端末装置の不良解析を行うプログラムを格納しておけば、携帯電話開発メーカーは、端末装置の不良解析を行う場合に、携帯端末装置を分解して、不良と思われる部品を取り替えながら不良箇所を特定するという手間をかける必要がなくなるので、不良解析用のソフトをつくって、それをメモリカードに書き込んで利用することにより、簡単な操作で、かつ端末を分解せずに不良解析ができるという効果が期待できる。
【００１４】
また、携帯電話の多機能化により、アプリケーションのソフト容量が増えるが、内蔵されたＲＯＭの容量制限で満足のいくプログラムの提供が難しくなる問題を、外部のメモリカードを使うことにより解決することができる。
【００１５】
例えば、位置測位機能のＧＰＳを使った地図情報を含むものは、内容を充実させるには膨大な地図情報が必要になり、そのデータと連携したアプリケーションソフトのプログラム量も大きくなるが、この大容量のプログラムを本発明で使用されるメモリカードに書き込んでおき、必要に応じて内蔵ＲＡＭにコピーして実行することにより解決可能である。
【発明を実施するための最良の形態】
【００１６】
図１は、本発明の実施形態に係る携帯電話端末の概略を示すブロック図である。
【００１７】
図１において、ＣＰＵ１は本実施形態に係る携帯電話端末６全体を制御する中央演算処理装置である。ＲＯＭ２には携帯電話のソフトプログラムが格納されており、通常の携帯電話機能では、ＣＰＵ１がＲＯＭ２に格納された携帯電話用のソフトプログラムを読み込んで携帯電話のための制御を実行している。ＲＡＭ３は、ＣＰＵ１と直結したメモリであり、ＣＰＵ１が種々の処理を実行する際の作業領域として使用され、また一時的に保存しておきたいデータを格納する。
【００１８】
メモリカード４は、携帯電話端末６に設けられたスロットに挿入することによりＣＰＵ１からアクセスが可能となるＳＤもしくはｍｉｃｒｏＳＤなどのメモリカードであり、通常の携帯電話では、カメラで撮影した画像データを保存したり、音楽のオーディオデータを保存したり、個人的なデータを保存するメモリカードとして使用される。
【００１９】
本実施形態では、ＲＯＭ２に格納されている通常の携帯電話機としてのソフト以外の、特別なソフトをメモリカード４に格納し、このメモリカード４が携帯電話端末６に装着されてそのソフトの実行が指示されたとき、ＣＰＵ１がこのメモリカード４からこのソフトを読み込んでＲＡＭ３にコピーする。そして、ＣＰＵ１はＲＡＭ３にアクセスしながらこのソフトプログラムを実行することにより、携帯電話端末６を、このソフト専用の装置として制御する。
【００２０】
ＣＰＵ１、ＲＯＭ２およびＲＡＭ３は、本実施例の携帯電話機が備えている各種機能を実行するための制御を行うコンピュータを構成している。本発明において、ＣＰＵ１がメモリカード４からソフトを読み込んでＲＡＭ３にコピーし、さらにＲＡＭ３にアクセスしながらこのソフトを実行開始するための制御プログラムは、ＲＯＭ２に格納されている。
【００２１】
ここで、図１のメモリカードに格納されるソフトは、例えば、携帯電話端末６に内蔵されたＬＳＩの不良解析を自動実行するソフトであったり、携帯電話端末を単なる携帯ゲーム機として一時的に使用することを想定したゲーム用ソフトであったり、オーディオプレーヤとして一時的に使用することを想定したオーディオ専用のソフトであったりする。
【００２２】
これらのソフトは、それぞれ個別のメモリカードに格納しておき、所望のソフトが格納されたメモリカードを携帯電話端末６に設けられたスロットに挿入することにより該ソフトを自動的に実行させる端末装置として実現することができる。
【００２３】
その際、携帯電話端末６に挿入されたメモリカード４に格納されているソフトを実行するかどうかは、表示部８に表示されたメニュー画面に選択項目を設け、キー操作部７により該選択項目の中から外部メモリカードのソフト実行モードを選択するシステム構成として実現可能である。この場合には、１枚のメモリカードに複数のソフトを書き込んでおき、携帯電話端末６のメニュー画面に表示された複数のソフトの中から１つを選択して実行するという形態も可能になる。
【００２４】
図２は、本実施形態の第１の実施例動作を示すフローチャートである。以下、図１〜図２を参照して本実施例の動作について説明する。
【００２５】
携帯電話端末６のメモリカード挿入スロットに所望のソフトを格納したメモリカード４が挿入されている状態のときに携帯電話端末６の電源キーが押下されると、表示部８に、「外部メモリカードから実行ソフトをダウンロードして実行する」という選択項目を含むメニュー選択画面が表示される（Ｓ１１）。このメニュー選択画面から、外部メモリカードのソフト実行モードが選択されると（Ｓ１２，Ｙｅｓ）、ＣＰＵ１はメモリカード４からソフトをダウンロードしてくる（Ｓ１３）。
【００２６】
そして、ＣＰＵ１と直結したＲＡＭ３にメモリカード４からダウンロードしたソフトをコピーし、コピー終了後、ＣＰＵ１はＲＡＭ３にアクセスして、ＲＡＭ３にコピーされたソフトを読み出して実行する（Ｓ１４）。なお、Ｓ１２において、メニュー選択画面から、外部メモリカードのソフト実行モード以外のモードが選択されたとき（Ｓ１２，Ｎｏ）には、ＣＰＵ１はＲＯＭ２に格納されている通常の携帯電話機としてのソフトの中から選択されたソフトを読み出して該ソフトを実行する。
【００２７】
図３は、本実施形態の第２の実施例動作を示すフローチャートである。本実施例では、携帯電話端末の起動時にテンキー入出力制御部５にて、テンキーの集まりであるキー操作部７の電源キーを含む他のテンキーの押されている状態を検出してメモリカード４に格納されたソフトを実行するか否かを判断させることにより、電源投入と同時にメモリカードに格納された特別なソフトを実行しようとするもので、メニュー画面での選択動作の手間を省き、操作を簡略化してより迅速にメモリカードに格納されたソフトを実行可能にしたものである。以下、図１，図３を参照して本実施例の動作について説明する。
【００２８】
電源を切って、メモリカードを特別なソフトが入ったものに差し替え、電源投入して起動させる。このとき電源キーの押下検出部は電源キーの押下状態を検出し（Ｓ２１）、電源キーのみが押下されているか、あるいは電源キーと該電源キー以外の任意のキーが同時に押下されているかを判定する（Ｓ２２）。電源キーのみが押下されている場合（Ｓ２２，Ｎｏ）には、ＣＰＵ１はＲＯＭ２に格納されている通常の携帯電話機としてのソフトの中から電源投入時に起動指定されているソフトを読み出して該ソフトを実行する（Ｓ２３）。
【００２９】
電源キーと該電源キー以外の任意のキーが同時に押下されている場合（Ｓ２２，Ｙｅｓ）には、ＣＰＵ１はメモリカード４からソフトをダウンロードしてくる（Ｓ２４）。そして、ＣＰＵ１と直結したＲＡＭ３にメモリカード４からダウンロードしたソフトをコピーする。コピー終了後、ＣＰＵ１はＲＡＭ３にアクセスし、ＲＡＭ３にコピーされたソフトを読み出して実行する（Ｓ２５）。
【００３０】
図４は、本実施形態の第３の実施例動作を示すフローチャートである。本実施例では、携帯電話端末の起動時にテンキー入出力制御部５にて、テンキーの集まりであるキー操作部７の電源キーの押下時間を検出してメモリカード４に格納されたソフトを実行するか否かを判断させる。本実施例も、電源投入と同時にメモリカードに格納された特別なソフトを実行しようとするもので、メニュー画面での選択動作の手間を省き、操作を簡略化してより迅速にメモリカードに格納されたソフトを実行可能にしたものである。
【００３１】
第２の実施例では、２つのキーが同時に押されることでメモリカードに格納されたソフトの方を実行したが、本実施例では、電源キーを押している時間の長さによって判断する点を特徴とする。通常の携帯電話を起動させる場合には、１秒か２秒ほどの長押しで通常の起動動作に入るが、この押している時間を、ある設定した時間より長く押した場合に、メモリカード４に格納された方のソフトを実行させるものである。例えば、１０秒ぐらい長く押していた場合にメモリカード４に書き込まれているソフトを実行し、２秒ほどで指を離せば、通常通りの起動をするように予め設定しておく。以下、図１，図４を参照して本実施例の動作について説明する。
【００３２】
電源を切って、メモリカードを特別なソフトが入ったものに差し替え、電源投入して起動させる。このとき電源キーの押下検出部が電源キーが押下された状態を検出する（Ｓ３１）と、該検出時点から該電源キーの押下継続時間を計測して、押下時間が予め設定された時間よりも長いか否かを判定する（Ｓ３１）。押下時間が設定時間以下の場合（Ｓ３２，Ｎｏ）には、ＣＰＵ１はＲＯＭ２に格納されている通常の携帯電話機としてのソフトの中から電源投入時に起動指定されているソフトを読み出して該ソフトを実行する（Ｓ３３）。
【００３３】
押下時間が予め設定された時間よりも長い場合（Ｓ３２，Ｙｅｓ）には、ＣＰＵ１はメモリカード４からソフトをダウンロードしてくる（Ｓ３４）。そして、ＣＰＵ１と直結したＲＡＭ３にメモリカード４からダウンロードしたソフトをコピーする。コピー終了後、ＣＰＵ１はＲＡＭ３にアクセスし、ＲＡＭ３にコピーされたソフトを読み出して実行する（Ｓ３５）。
【図面の簡単な説明】
【００３４】
【図１】本発明の実施形態に係る携帯電話端末の概略を示すブロック図である。
【図２】本実施形態の第１の実施例動作を示すフローチャートである。
【図３】本実施形態の第２の実施例動作を示すフローチャートである。
【図４】本実施形態の第３の実施例動作を示すフローチャートである。
【符号の説明】
【００３５】
１  ＣＰＵ
２  ＲＯＭ
３  ＲＡＭ
４  メモリカード
５  テンキー入出力制御部
６  携帯電話端末
７  キー操作部
８  表示部
【図１】
2009100224.tif 000003
【図２】
2009100224.tif 000004
【図３】
2009100224.tif 000005
【図４】
2009100224.tif 000006